【手続補正書】
【提出日】平成21年12月24日(2009.12.24)
【手続補正１】
【補正対象書類名】特許請求の範囲
【補正対象項目名】全文
【補正方法】変更
【補正の内容】
【特許請求の範囲】
【請求項１】
大気汚染を測定し、信頼性のある、個人別の警報を提供する方法であって、測定する前に、前記警報に対する同意が得られ、前記測定に干渉する大気中の化合物が、自己付着型のパッチ又は膜の形状の、使用後使い捨て可能な、被測定空気と測定手段の間に配置される特別に選ばれた吸収性物質によって除去されることを特徴とする方法。
【請求項２】
前記特別に選ばれた吸収性物質が可逆反応を許容する物質であることを特徴とする請求項１に記載の大気汚染を測定し、信頼性のある、個人別の警報を提供する方法。
【請求項３】
前記大気汚染の測定に干渉する前記大気中の化合物を吸収する前記特別に選ばれた物質の１つがシリカゲルまたは綿のような１つの親水性の物質であることを特徴とする請求項１に記載の方法を実行するための装置。
【請求項４】
前記大気汚染の測定に干渉する前記大気中の化合物を吸収する前記特別に選ばれた物質の１つが窒素酸化物を吸収することができる物質であることを特徴とする請求項１に記載の方法を実行するための装置。
【請求項５】
前記大気汚染の測定に干渉する前記大気中の化合物を吸収する前記特別に選ばれた物質の１つが硫黄酸化物を吸収することができる物質であることを特徴とする請求項１に記載の方法を実行するための装置。
【請求項６】
前記被測定空気と前記パッチ又は前記膜の間に、１つの疎水性物質が配置されることを特徴とする請求項２〜４のいずれか１項に記載の方法を実行するための装置。
【請求項７】
１つの空気ポンプによって、前記パッチ及び前記測定手段に向かう前記被測定空気の安定した流れが確保されることを特徴とする請求項２〜５のいずれか１項に記載の方法を実行するための装置。
【請求項８】
前記測定手段が、汚染物質のレベル規制に従って種々の警報を管理する１つの電子回路に接続される、ことを特徴とする請求項２〜６のいずれか１項に記載の方法を実行するための装置。
【請求項９】
前記電子回路は、前記パッチ又は前記膜のレベルでの増加する圧力降下の検出を可能にし、前記パッチ又は前記膜を交換するようにユーザに注意を喚起することを特徴とする請求項２〜７のいずれか１項に記載の方法を実行するための装置。
【請求項１０】
１つの微小ポンプ、１つの汚染センサー、前記警報を管理する前記１つの電子回路、及び、前記大気汚染測定の干渉物質を吸収可能な材料で被覆され、非健康的な汚染レベルに達したことを個人に警告するように配置される１つのパッチ、からなることを特徴とする請求項１〜９のいずれか１項に記載の装置。
【手続補正２】
【補正対象書類名】明細書
【補正対象項目名】全文
【補正方法】変更
【補正の内容】
【発明の詳細な説明】
【発明の名称】大気汚染の、信頼できる、個人別の測定及び警告のための方法、並びに関連する装置
【技術分野】
【０００１】
本発明は、汚染された大気に暴露されるリスクの可能性がある集団、特に喘息患者に警告するための、大気汚染のピークを測定し、警報を出す方法、及び関連する装置に関する。
前記方法は、以下で記載されるように、身近な環境で、我々が呼吸する大気に存在し、その濃度が公共医療施設によって危険であると特定されたレベルを超える汚染物質を検出し、個人別に設定された警報を提供するのに適する。
【背景技術】
【０００２】
呼吸器疾患に罹っている人は、喘息患者の場合のように、大気汚染物質の存在下、大気汚染が特定のレベルを超えた場合、戸外の活動を限定し、また多くの場合、要求レベルの高い身体的活動を控えなければならないのは周知のことである。
今まで、喘息患者が、たとえば、オゾン、窒素酸化物又は硫黄酸化物のような大気汚染物質のレベルに関して外出のリスクを知りたい場合、彼女／彼は、様々なメディア（テレビ、ラジオ）に頼るしかなく、汚染のピークがその日の後の時間帯で散発的に起きないことを確信出来なかった。
さらに、人が情報源から離れている場合、他の予防解決法はなかった。
【０００３】
オゾン検出器及びモニター、並びに硫黄及び窒素検出器及びモニターという形の装置は、とりわけ分光計を基本に市場に存在するが、寸法が大きいため用法が限定され、明らかに着用は不可能である。さらに、複雑なため、子供による操作は不可能である。
小型の試料採取装置も見出すことができるが、その試料は通常、後日特殊な研究室でさらに分析されなければならない。
最後に、特定の汚染物質が存在する場合、色を変える電子センサー及び比色分析指示計に基づいた小型の汚染検出器及びモニターがあるが、湿度（オゾンの吸収体である）のような多数のパラメータは、重大な方法で（１〜１０の因子）測定を妨害し、敏感な人に対し効果的に且つ信頼性をもって警告するのを不可能にしている。
【発明の開示】
【０００４】
本発明は、非健康的な汚染物質レベルに達した場合、遺漏なく警報を提供する、信頼性が高く且つ操作し易い、方法及び小型装置によって、リスクの可能性の存在に気付かない人、とりわけ喘息患者の主要な問題を解消することを目的とする。
本発明の方法は、事前設定された被測定汚染物質の濃度を測定するため測定対象とされた空気を、事前に、汚染の測定に干渉する大気中の化合物を可逆過程で吸収できる物質の中またはその上を通過させて、循環させる工程からなる。
【０００５】
これらの吸収性物質は、磁力による、機械的な、可逆可能な接着部材、又は自己接着布による自己接着型のパッチまたは多孔膜という形で実現され、使用後使い捨てである（使用される吸収剤の量によって、１日、１週間若しくは１ヵ月というような予防的期間で交換される、又は装置の空気ポンプレベルでの排出圧の減少によって検出可能な、汚染物質及び埃による多孔性の喪失後すぐに交換される）。
空気がパッチ又は膜の中を通過して循環する場合、種々の化合物を吸収する物質を多層に配置することができる。空気がパッチ又は膜の上を循環する場合、同様の吸収性物質が単層で配置される。
【０００６】
たとえば、パッチ又は多孔性の膜で使用される物質の１つは、湿気を吸収するシリカゲル又は親水性の綿である。オゾン濃度の測定は、たとえば、雨天でも乾燥した気候においても正確である。
窒素酸化物又は硫黄酸化物を吸収するには、具体的には、これらの分子を標的とする活性炭素が使用される。
【０００７】
さらに、これらの吸収性物質は、吸収性物質の再生を助け、干渉する気体の濃度の変動を平滑化するため、低濃度の吸収した気体と共に環境を移動する際に、吸収した気体のすべて又は一部を解放することを許容するように可逆的でなければならない。
湿気の場合、人が戸外の位置（冬期では１０％の湿度レベルが異常ではない）から室内の位置（湿度レベルは９０％に達することがある）へ移動する際、綿のような親水性の物質が過剰の湿気を吸収する。
【０００８】
人が戸外に戻るや否や、綿はその湿気を解放してセンサー上の空気の湿気の変化をよりゆったりとしたものにする。
そのように、この真の空気の前処理によって、大気の条件にかかわりなく、電子センサー又は比色分析指示計に対し同一の最適な測定条件が確保される。異なる警報レベルを管理することに関与する電子基板によって、信頼性のある、振動し又は鳴り響く視覚的警告が提供される。有利なことに、分析される空気とパッチ又は膜（最外層上）の間に疎水性の内張りが配置され、雨中での操作又は手が濡れている場合の操作を可能にする。図１は、比色分析指示計及び、それを通過する空気の循環を可能にする微細多孔性膜を有する本発明に基づく関連装置の一例の模式的断面図を示す。
【０００９】
微細多孔性の透明な膜（１）は、やはり微細多孔性で透明な種々の層、及び大気の汚染の測定に干渉する大気中の化合物を吸収する物質で作られる。前記膜はそれ自体微細多孔性である比色分析指示計（２）上に直接設置される。
第１の層（７）は、雨天条件下での操作を可能にするように疎水性の物質である。第２の層（６）は、活性炭素を主成分とするＮＯ２及びＳＯ２の吸収剤である。第３の層（５）は、シリカゲルからできた湿気吸収剤から成る。
電池（３）に接続された圧電微小ポンプ（４）によって、膜及び微細多孔性の比色分析指示計を通過する、連続的で安定した流れが確保される。
【００１０】
ポンプに供給する強度をモニターすることにより、パッチ又は膜が詰まっているかどうかが判る。
電子センサーを使用する場合、パッチ又は微細多孔性の膜を、処理した空気をセンサーに向かって循環させるポンプ上に直接配置することができる。
パッチ又は膜は、非多孔性であることもできる。その場合、センサーに向かった空気がパッチ又は膜の上全体を循環して、干渉物質を取り除くことを可能にするため、パッチとポンプの間に小さな空間を配置する。
【００１１】
センサー自体は、特定のレベルに達した場合、ＬＥＤ、ＬＣＤ、振動装置又はブザーを作動させる電子回路にも接続される。
圧電ポンプのような構成成分の小型化によって１ユーロコイン以下の大きさの装置を設計することが可能となった。
第１の応用は、オゾン又は窒素酸化物及び硫黄酸化物の汚染ピークの存在を喘息患者に警告する、襟の折り返し又は手首に着用可能な１つの個人用警報装置である。最終ユーザは、起こりうる汚染に際し彼／彼女が確実に警告されるように、測定装置上の吸収用のパッチ又は膜を定期的に交換する。
【図面の簡単な説明】
【００１２】
【図１】本発明の関連装置の一例の模式的断面図を示す図である。
【符号の説明】
【００１３】
１    多孔性膜
２    比色分析指示計
３    電池
４  圧電微小ポンプ
５  第３の層
６  第２の層
７  第１の層